(57)【要約】【課題】光モジュールを多数必要な通信装置では、その前面に配置できる光モジュールの数は限られる。また、装置前面の面積以上に搭載することは不可能となるため、通信装置の小型化が困難となる。【解決手段】本発明は、フレキシブルな第１のケーブルで接続された第１のボード及び第２のボードを有する通信装置において、第１のボード及び第２のボードのそれぞれに光モジュールが搭載され、光モジュールは、通信装置の前面に配置されることを特徴とする。【選択図】図３
2012175459.tif 000002
【特許請求の範囲】
【請求項１】
フレキシブルな第１のケーブルで接続された第１のボード及び第２のボードを有する通信装置において、
前記第１のボード及び前記第２のボードのそれぞれに光モジュールが搭載され、前記光モジュールは、前記通信装置の前面に配置される
ことを特徴とする通信装置。
【請求項２】
前記第１のボードと前記第２のボードは、ヒンジによって結合し、
前記通信装置に、前記第１のボードと前記第２のボードを収納する際は、前記第１のボードと前記第２のボードを折り畳んだ状態で収納する
ことを特徴とする請求項１記載の通信装置。
【請求項３】
前記第２のボードは、第３のボードとフレキシブルな第２のケーブルで接続され、前記通信装置の側溝部と嵌合し、該通信装置に対してスライド可能な構造である
ことを特徴とする請求項1または２記載の通信装置。
【請求項４】
前記光モジュールの実装には、多段階建てのケージを使用する
ことを特徴とする請求項１乃至３のいずれか１項に記載の通信装置。
【請求項５】
フレキシブルなケーブルで接続された第１のボード及び第２のボードを有する通信装置において、
前記第１のボードは、略矩形の形状を有し、前記第２のボードに対して回転可能な機構で結合しており、
前記第１のボードの４辺のそれぞれに光モジュールが搭載されている
ことを特徴とする通信装置。
【請求項６】
前記光モジュールの実装には、多段階建てのケージを使用する
ことを特徴とする請求項５記載の通信装置。
【発明の詳細な説明】
【技術分野】
【０００１】
本発明は、プラガブル光モジュールを集積して搭載した通信装置に関する。
【背景技術】
【０００２】
これまで、電子機器の小型化、及び、高密度化が進んでいる。通信装置も例外ではなく、小型化により設置スペースを小さくすることが可能であるため、通信キャリアから強い要求がある。しかしながら、加入者向けの通信装置は、多数の光モジュールを前面に搭載する必要があり、小型化に限界がある。
【０００３】
例えば、特許文献１に示すような光モジュールを通信装置の前面に多数配置しようとした場合、通信装置の小型化が容易でないことは明解である。
【０００４】
近年、コンパクトＳＦＰ（Ｓｍａｌｌ  Ｆｏｒｍ  ｆａｃｔｏｒ  Ｐｌｕｇｇａｂｌｅ）モジュールやＱＳＦＰ（Ｑｕａｄ  Ｓｍａｌｌ  Ｆｏｒｍ  ｆａｃｔｏｒ  Ｐｌｕｇｇａｂｌｅ）等の複数ポートを集積化したプラガブル光モジュールが出現し、装置の小型化が進んでいるが、更なる集積化のためには通信装置上の基板のレイアウトを工夫することで集積化を図る必要が出てきている。
【０００５】
詳細に説明すると、通信容量の増大に伴い、ＦＴＴＨ（Ｆｉｂｅｒ  Ｔｏ  Ｔｈｅ  Ｈｏｍｅ）等の加入者系光通信の需要が増加している。加入者系光通信システムにおいて大容量通信を実現するためには、加入者側端末（ＯＮＵ）と局側装置（ＯＬＴ）を光ファイバにより１対１で接続する構成が採用される。この構成では、局側の装置に加入者側端末の数と同数の多数の光モジュールを収納する必要がある。
【０００６】
一方、通信用装置では保守時の光モジュールの交換を容易にするために、ＳＦＰ等のプラガブルな光モジュールを搭載する必要がある。本プラガブル光モジュールは装置の前面に配置され、装置を解体することなく容易に着脱が可能となる。
【０００７】
図１に、従来の標準的な通信装置の構成を示す。通信装置１には複数のスロット２が挿入され、それぞれに通信用のプラガブル光モジュール３、またはプラガブル電気モジュールが搭載される。各スロット２にはメインボード５が設置され、通信装置１の背面に設置されるバックボード４に接続される。メインボード５の上にはプラガブル光モジュール３、ＬＳＩ６が搭載される。プラガブル光モジュール３は通信装置１の前面に設置され、通信装置１の電源が入った状態で挿抜が可能である。プラガブル光モジュール３を搭載できる数量は、通信装置１の前面の長さで決まる。
【先行技術文献】
【特許文献】
【０００８】
【特許文献１】特開２０１０−６７６９６号公報
【発明の概要】
【発明が解決しようとする課題】
【０００９】
ここで、上記の構成では装置の前面に配置できる光モジュールの数は限られる。よって、装置前面の面積以上に搭載することは不可能となるため、通信装置の小型化が困難になるという課題が生じる。
【００１０】
そこで、本発明の目的は、上記の課題を解決するプラガブル光モジュールを備えた通信装置を提供することにある。
【課題を解決するための手段】
【００１１】
本発明は、フレキシブルな第１のケーブルで接続された第１のボード及び第２のボードを有する通信装置において、第１のボード及び第２のボードのそれぞれに光モジュールが搭載され、光モジュールは、通信装置の前面に配置されることを特徴とする。
【発明の効果】
【００１２】
本発明によれば、通信装置に多数のプラガブル光モジュールを集積して搭載しつつ、当該通信装置を小型化することができるという効果を奏する。
【図面の簡単な説明】
【００１３】
【図１】従来の実施例の説明図である。
【図２】本発明の実施例１の説明図（その１）である。
【図３】本発明の実施例１の説明図（その２）である。
【図４】本発明の実施例１の断面図である。
【図５】本発明の実施例１の全体図である。
【図６】本発明の実施例２の説明図である。
【図７】本発明の実施例２の断面図である。
【図８】本発明の実施例２のターンテーブルの説明図である。
【図９】本発明の実施例２の全体図である。
【図１０】本発明の実施例３の説明図である。
【図１１】本発明の実施例３の断面図である。
【発明を実施するための形態】
【００１４】
本発明は、通信装置にプラガブル光モジュールを集積して搭載することに関して、光モジュールを搭載する基板を折り畳むことにより、多数のプラガブル光モジュールを搭載することができることを特徴とする。また、光モジュールを搭載する基板に回転機構を設けることにより、多数のプラガブル光モジュールを搭載できることを特徴とする。以下に、本発明の実施形態について説明する。
【実施例１】
【００１５】
図２、３、４、５に、本発明の実施例１の構成を示す。３つのメインボード５ａ、５ｂ、５ｃから構成され、それぞれのメインボードは折り曲げが可能なフラットケーブル８、９により接続され、プラガブル光モジュール３は、メインボード５ｂ、５ｃの前面に搭載される。
【００１６】
また、メインボード５ｂは基板左右のスライダ１３に固定され、手前に引き出すとフラットケーブル８が伸び、メインボード５ｂ、及び５ｃが手前に引き出される。メインボード５ｂ、５ｃはヒンジ１１により固定され、ヒンジ部を動かすことによりメインボード５ｂの上にメインボード５ｃが折り畳まれる。この際、メインボード５ｂに搭載されたプラガブル光モジュール３と、メインボード５ｃに搭載されたプラガブル光モジュール３が干渉しない配置とする。
【００１７】
通常の通信装置の動作時には、図２に示すとおりメインボード５ｃが折り畳まれる構成となる。この際、メインボード５ｃ上に搭載されたプラガブル光モジュール３から接続される光ファイバ１２はメインボード５ｂ上で余長処理され、装置前面に引き出される。
【００１８】
保守のためプラガブル光モジュール３を交換する際には、メインボード５ｂをスロット２より引き出し、メインボード５ｃを手前に倒すことで図３に示す構成となる。
【００１９】
本構成の効果は、従来の実施例と比較して、約２倍のプラガブル光モジュール３を搭載可能であり、またメインボード５ｂ、５ｃに搭載された全てのプラガブル光モジュール３を活線挿抜可能となり、容易に保守が可能となる。
【実施例２】
【００２０】
図６、７、８、９に、本発明の実施例２の構成を示す。メインボード５の上に回転ボード１４が配置される。メインボード５と回転ボード１４はターンテーブル１５により機械的に接続され、回転ボード１４はターンテーブル１５を軸にして１８０度回転させることができる。また、メインボード５と回転ボード１４はフラットケーブル１６により電気的に接続する。フラットケーブル１６はフレキシブルなケーブルであり、回転ボード１４が１８０度回転に耐えられる。回転ボード１４の４辺全てにプラガブル光モジュール３が搭載される。
【００２１】
ターンテーブルの例を図８に示す。ターンテーブル上部１９、ターンテーブル下部２０から構成され、ターンテーブル下部２０はメインボード５に設置される。一方、回転ボード１４はターンテーブル上部１９に形成された回転ボード固定台１９ｂの上に固定される。また、ターンテーブル上部１９、ターンテーブル下部２０にはそれぞれ過回転防止用突起１９ａ、２０ａが設けられ、１８０度以上回転することがないような構成とする。
【００２２】
また、プラガブル光モジュール３に接続される光ファイバケーブル１２を処理するため、回転ボード１４上の中心付近に光ファイバケーブル引き出し口１８が設けられ、プラガブル光モジュール３に接続される光ファイバケーブル１２は、本引き出し口１８を通して回転ボード１４とメインボード５の間に配線し、装置前面パネル２１に設けられた光ファイバケーブル引き出し口２１ａより装置外に引き出される。本構成とすることにより回転ボード１４の回転時に光ファイバケーブル１２がからまることを防ぐことが可能となる。
【００２３】
装置保守の際には、装置前面パネル２１を開け、レバー１７により回転ボード１４を回転させることにより、保守が必要なプラガブル光モジュール３が搭載された面を前面に配置させることができる。
【００２４】
本構成の効果は、従来の実施例と比較して、約２倍のプラガブル光モジュール３を搭載可能であり、また回転ボード１４上に搭載された全てのプラガブル光モジュール３を活線挿抜可能となり、容易に保守が可能となる。
【実施例３】
【００２５】
本実施例では、プラガブル光モジュールを搭載する構成となっているが、プラガブルな通信モジュールであれば、電気モジュールでも良い。また、ボード間の接続にフラットケーブルを使用しているが、フレキシブル基板等、曲げが可能な配線材料を使用しても良い。また、ボードの端面にプラガブル光モジュールを１段に配置しているが、２階建てのケージ（プラガブル光モジュール固定用のコネクタ）を使用することで、さらに実装密度を増やしても良い（図１０、１１を参照）。
【００２６】
以上、いくつかの実施例を説明してきたが、特許請求の範囲に定義された本発明は、その趣旨、及び、その範囲から逸脱することなく、これらの実施例や具体例に様々な修正、及び、変更が可能である。
【００２７】
また、上記の実施形態の一部または全部は、以下の付記のようにも記載されうるが、以下には限られない。
【００２８】
（付記１）フレキシブルな第１のケーブルで接続された第１のボード及び第２のボードを有する通信装置において、前記第１のボード及び前記第２のボードのそれぞれに光モジュールが搭載され、前記光モジュールは、前記通信装置の前面に配置されることを備える通信装置。
【００２９】
（付記２）前記第１のボードと前記第２のボードは、ヒンジによって結合し、前記通信装置に、前記第１のボードと前記第２のボードを収納する際は、前記第１のボードと前記第２のボードを折り畳んだ状態で収納することを備える、付記１に記載の通信装置。
【００３０】
（付記３）前記第２のボードは、第３のボードとフレキシブルな第２のケーブルで接続され、前記通信装置の側溝部と嵌合し、該通信装置に対してスライド可能な構造である
ことを備える、付記1または２に記載の通信装置。
【００３１】
（付記４）前記光モジュールの実装には、多段階建てのケージを使用することを備える、付記１乃至３のいずれか１項に記載の通信装置。
【００３２】
（付記５）フレキシブルなケーブルで接続された第１のボード及び第２のボードを有する通信装置において、前記第１のボードは、略矩形の形状を有し、前記第２のボードに対して回転可能な機構で結合しており、前記第１のボードの４辺のそれぞれに光モジュールが搭載されていることを備える通信装置。
【００３３】
（付記６）前記光モジュールの実装には、多段階建てのケージを使用することを備える、付記５に記載の通信装置。
【符号の説明】
【００３４】
１    通信装置
２    スロット
３    プラガブル光モジュール
４    バックボード
５    メインボード
５ａ    メインボード
５ｂ    メインボード
５ｃ    メインボード
６    ＬＳＩ
７    コネクタ
８    フラットケーブル
９    フラットケーブル
１０    レバー
１１    ヒンジ
１２    光ファイバケーブル
１３    スライダ
１４    回転ボード
１５    ターンテーブル
１６    フラットケーブル
１７    レバー
１８    光ファイバケーブル引き出し口
１９    ターンテーブル上部
１９ａ    過回転防止用突起
１９ｂ    回転ボード固定台
２０    ターンテーブル下部
２０ａ    過回転防止用突起
２１    装置前面パネル
２１ａ    光ファイバケーブル引き出し口
【図１】
2012175459.tif 000003
【図２】
2012175459.tif 000004
【図３】
2012175459.tif 000005
【図４】
2012175459.tif 000006
【図５】
2012175459.tif 000007
【図６】
2012175459.tif 000008
【図７】
2012175459.tif 000009
【図８】
2012175459.tif 000010
【図９】
2012175459.tif 000011
【図１０】
2012175459.tif 000012
【図１１】
2012175459.tif 000013